(57)【要約】【課題】凹曲黒板等にも水平に固定した状態でスクリーンを上下方向に繰り出して使用する縦引き型として、スクリーン面に皺や弛みを生じず使用することができ、又、固定角度の設定やスクリーンの展張を容易に行なうことができるマグネットスクリーン装置を提供せんとする。【解決手段】前面側にスクリーン面２ａを有し且つ後面側に磁力を有するスクリーンシート２と、該スクリーンシート２を巻き取る巻取ロール４を有する本体部１０とを備え、スクリーンシート２を備え、特に、巻取ロール４から繰り出した前記スクリーンシート２を取り付け面９０に磁着させた状態で、さらに巻取ロール４を同じ繰り出し方向に所定量だけ回転させる回転付加手段７を設けた。【選択図】図１
2014102272.tif 000002
【特許請求の範囲】
【請求項１】
前面側にスクリーン面を有し且つ後面側に磁力を有するスクリーンシートと、該スクリーンシートを巻き取る巻取ロールを有する本体部とを備え、前記スクリーンシートを黒板等の取り付け面に磁着させて使用するマグネットスクリーン装置であって、
巻取ロールから繰り出した前記スクリーンシートを取り付け面に磁着させた状態で、さらに巻取ロールを同じ繰り出し方向に所定量だけ回転させる回転付加手段を設けたことを特徴とするマグネットスクリーン装置。
【請求項２】
前記スクリーンシートと前記巻取ロールとの間に介装され、伸縮性を有する連結部材を備えてなる請求項１記載のマグネットスクリーン装置。
【請求項３】
前記回転付加手段が、前記巻取ロールに巻回された紐体よりなり、スクリーンシートの繰り出しとともに同様に下方に繰り出され、前記スクリーンシートを取り付け面に磁着させた状態で前記紐体を下方に引き下げることにより、巻回されている紐体残部の繰り出しとともに前記巻取ロールが所定量だけ回転する請求項１又は２記載のマグネットスクリーン装置。
【請求項４】
前記スクリーンシートの先端部に、少なくとも前後方向の可撓性を有する端部バーを設けてなる請求項１〜３の何れか１項に記載のマグネットスクリーン装置。
【発明の詳細な説明】
【技術分野】
【０００１】
本発明は、黒板（ホワイトボードを含む）などに用いるマグネットスクリーン装置に関わり、更に詳しくは、左右の方向に沿って凹曲している黒板（以下、「凹曲黒板」という。）に対し、水平に固定した状態でスクリーンを上下方向に繰り出して使用しても、スクリーン面に皺や弛みを生じず平面性を保つことができるマグネットスクリーン装置に関するものである。
【背景技術】
【０００２】
従来、黒板に用いるスクリーンとして、投映面を有する投映部材と、指示部材によって指示された位置を検出する検出手段と、位置情報をパーソナルコンピュータに供給する供給手段とを有する位置情報検出供給部を備えたインタラクティブスクリーンであって、前記投映部材を、磁性を帯び、かつ、巻き取り及び繰り出しが可能な素材で構成するとともに、該投映部材を巻き取り可能な巻き取り手段と、巻き取られた投映部材を収納する収納部を備えたマグネットスクリーン装置がある（例えば、特許文献１。）。
【０００３】
このマグネットスクリーン装置は、投映部材の先端部を手でつかんで収納部から引き出し、教室に備えられている黒板に投映部材の投映面の裏面を合わせると磁力により黒板に固定され、手を離してもその固定状態が保持されるものであり、これにより、黒板が指示部材による指示部の押圧を受け止めて、通常のインタラクティブボードと同様に機能させることが可能となるものである。
【０００４】
しかし、このようなスクリーンを凹曲黒板に取付けようとすると、平面視において凹曲する黒板表面に、円筒形状の巻き取り手段から繰り出された平面状のスクリーンを磁着させることとなるため、スクリーンの左右中央部ほど黒板表面との間の前後のギャップが大きくなり、その分収納部から黒板表面までの距離が大きくなってスクリーン面の中央部が他の部位と比べてより強く上方に引っ張られ、スクリーン面が歪んだり皺や弛みが生じ、平面性を保つことが困難であった。
【０００５】
また、裏面にマグネットシートが形成されたシートと、該シートの一側に取り付けられた一つの第１永久磁石と、上記シートの他側に取り付けられた一つの第２永久磁石と巻取り具とを有し、使用時、上記シートを上記巻取り具より展張して上記マグネットシートと上記第１及び第２永久磁石を被磁着体に磁着させることにより保持するようにしたマグネットスクリーン装置も提供されている（例えば、特許文献２。）。
【０００６】
このマグネットスクリーン装置は、シートの片側の永久磁石を黒板に磁着させてシートの片側を固定し、巻取り具を黒板に沿って回転させてシートを展張することによりシートの裏面に形成されたマグネットシートを黒板に磁着させて、さらに、シートの反対側の永久磁石を黒板に磁着させることによりシート体の黒板への固定が完了するものであり、シートの繰出方向は使用者が選択することができる。このため、凹曲黒板に対して使用するときは、シートの繰出方向を横方向として使用することで、凹曲黒板にも皺や弛みを生じることなく使用することができる。
【０００７】
しかしながら、このように横引き型として使用すると、スクリーンの設置は角度の調整や展張作業が難しく、特にサイズの大きいスクリーンでは一人で適切に設置することがほぼ不可能となり、かえってスクリーン面に皺や弛みを生じさせるものとなっていた。
【先行技術文献】
【特許文献】
【０００８】
【特許文献１】実用新案登録第３０９３２８７号公報
【特許文献２】特開２００２−３０８４号公報
【発明の概要】
【発明が解決しようとする課題】
【０００９】
本発明が前述の状況に鑑み解決しようとするところは、凹曲黒板等にも水平に固定した状態でスクリーンを上下方向に繰り出して使用する縦引き型として、スクリーン面に皺や弛みを生じず使用することができ、又、固定角度の設定やスクリーンの展張を容易に行なうことができるマグネットスクリーン装置を提供する点にある。
【課題を解決するための手段】
【００１０】
すなわち本発明は、前面側にスクリーン面を有し且つ後面側に磁力を有するスクリーンシートと、該スクリーンシートを巻き取る巻取ロールを有する本体部とを備え、前記スクリーンシートを黒板等の取り付け面に磁着させて使用するマグネットスクリーン装置であって、巻取ロールから繰り出した前記スクリーンシートを取り付け面に磁着させた状態で、さらに巻取ロールを同じ繰り出し方向に所定量だけ回転させる回転付加手段を設けたことを特徴とするマグネットスクリーン装置を構成した。
【００１１】
ここで、前記スクリーンシートと前記巻取ロールとの間に介装され、伸縮性を有する連結部材を備えたものが好ましい。
【００１２】
また、前記回転付加手段が、前記巻取ロールに巻回された紐体よりなり、スクリーンシートの繰り出しとともに同様に下方に繰り出され、前記スクリーンシートを取り付け面に磁着させた状態で前記紐体を下方に引き下げることにより、巻回されている紐体残部の繰り出しとともに前記巻取ロールが所定量だけ回転するものが好ましい。
【００１３】
更に、前記スクリーンシートの先端部に、少なくとも前後方向の可撓性を有する端部バーを設けたものが好ましい。
【発明の効果】
【００１４】
以上にしてなる本発明によれば、巻取ロールから繰り出したスクリーンシートを取り付け面に磁着させた状態で、さらに巻取ロールを同じ繰り出し方向に所定量だけ回転させる回転付加手段を設けたので、例えば凹曲黒板のような左右横方向に沿って湾曲する取り付け面に上下縦方向にスクリーンシートを繰り出す縦引き型として取り付ける場合であっても、回転付加手段により巻取ロールを所定量回転させることで、巻取ロールに近いスクリーンシート基端側の特に黒板面とのギャップの大きい中央部に作用している引っ張りを緩和することができ、スクリーンシートを取り付け面に磁着させた状態で生じる歪みや皺、弛みを無くし、或いはより巻取ロールに近い位置に移動させ、使用に影響がない状態を得ることができる。
【００１５】
また、スクリーンシートと巻取ロールとの間に介装され、伸縮性を有する連結部材を備えたので、回転付加手段により、巻取ロールから連結部材を繰り出すようにすれば、該連結部材が柔軟に伸縮し、繰り出し量、すなわち回転付加手段による回転量を比較的少なくしても皺を効率よく吸収でき、使用時の全体の上下寸法を小さくでき、使い勝手が良く、また取り付け面を効率よく使用することができる。また寸法を小さくできることから軽量化にも寄与できる。
【００１６】
また、回転付加手段が、巻取ロールに巻回された紐体よりなり、スクリーンシートの繰り出しとともに同様に下方に繰り出され、スクリーンシートを取り付け面に磁着させた状態で紐体を下方に引き下げることにより、巻回されている紐体残部の繰り出しとともに巻取ロールが所定量だけ回転するように構成したので、巻取ロールを回転させるためのギア等の複雑な機構を設けることなく、簡易な構造で低コスト且つ軽量に前記回転付加手段を構成することができる。
【００１７】
更に、前記スクリーンシートの先端部に、少なくとも前後方向の可撓性を有する端部バーを設けたので、例えば上記と同様、凹曲黒板のような取り付け面に縦引き型として取付ける場合であっても、スクリーンシートとともに端部バーも凹曲黒板（取り付け面）の凹曲面に沿った形状に屈曲し、該凹曲面に密着させることができるので、当該先端部についてもスクリーンシートの歪みや皺、弛みを生じることなく張付作業を行なうことができる。
【図面の簡単な説明】
【００１８】
【図１】本発明の実施形態に係るマグネットスクリーン装置を縦引き型として凹曲する黒板に取り付けた状態を示す斜視図。
【図２】（ａ）は同じくマグネットスクリーン装置を示す正面図、（ｂ）は側面図、（ｃ）は平面図。
【図３】同じくマグネットスクリーン装置の要部を示す断面図。
【図４】（ａ）、（ｂ）は同じくマグネットスクリーン装置を取り付ける際の様子を示す説明図。
【００１９】
次に、本発明の実施形態を添付図面に基づき詳細に説明する。
【００２０】
マグネットスクリーン装置１は、図１に示すように、縦引き型として使用するものであり、凹曲黒板Ｂの上桟枠Ｂａに本体部１０を取り付け、スクリーンシート２を引き出して黒板Ｂ等の取り付け面９０に磁着させて映写用のスクリーンとして使用する。具体的には、前面側にスクリーン面２ａを有し且つ後面側に磁力を有するスクリーンシート２と、該スクリーンシート２を巻き取る巻取ロール４を有する本体部１０とを備え、スクリーンシート２を備え、特に、巻取ロール４から繰り出した前記スクリーンシート２を取り付け面９０に磁着させた状態で、さらに巻取ロール４を同じ繰り出し方向に所定量だけ回転させる回転付加手段７を設けたことを特徴としている。
【００２１】
尚、マグネットスクリーン装置１は映写用スクリーンとして使用するものであるが、これに限定されず、例えば電子黒板やホワイトボードとしても使用することができる。また、本例では上桟枠Ｂａに本体部１０を固定してスクリーンシート２を下方に繰り出す形態の例であるが、本体部１０を黒板の取り付け面９０に固定したものでもよく、また、下桟枠又は取り付け面９０に固定した本体部からスクリーンシートを上方に繰り出す形態でもよい。
【００２２】
また、本体部を縦に設置してスクリーンシートを左右横方向に繰り出す形態でもよい。また、本例では手動でスクリーンシート２を引き出すタイプの例について説明するが、モータ等で巻取ロールを駆動する電動タイプとすることもできる。更に、スクリーンシート２を取り付ける取り付け面９０の形状は、本例のような凹曲面に限らず、平坦面や凸曲面であってもよい。
【００２３】
スクリーンシート２は、前面側にスクリーン面が構成され、且つ後面側にスチール製の黒板面等の磁性体からなる取り付け面に磁着可能な磁力（マグネット層）を有する公知のマグネットスクリーンシートを適用できる。スクリーンシート２の先端辺（本例では下端辺）には、本体部１０（巻取ロール４）からの繰出しや巻取りをスムーズに行なうための細長い端部バー６が設けられている。
【００２４】
端部バー６は、断面視縦長矩形の板状部材とし、上下方向には撓まず且つ前後方向（水平方向）に凹曲黒板Ｂの曲面に合わせて撓むように構成されている。したがって、取り付け面９０の凹曲面に合わせて撓んだ状態で密着することができるとともに、スクリーンシート２を繰出し又は巻取りする際には、この端部バー６をもって上下方向に操作することができ、その際、端部バーは上下方向に撓むことなくスクリーンシート２を平面に保ったままスムーズに操作することができる。端部バー６は、後面側に同じくマグネット層が設けられたものでもよい。この場合、更に黒板等への磁着を解除するための解除手段を設けてもよく、例えば左右両端に押圧式の解除ボタンを設けることで取外しをより簡易に行い得るものとしてもよい。
【００２５】
本実施形態では、スクリーンシート２と巻取ロール４との間に、スクリーンシート２と同一の幅及び厚さ寸法を有し、且つ弾性的な伸縮性を有する連結部材５が介装されている。そして、回転付加手段７により、巻取ロール４から連結部材５を繰り出すことで、該連結部材５が柔軟に伸縮し、繰り出し量、すなわち回転付加手段による回転量を比較的少なくしても皺を効率よく吸収する。凹曲黒板Ｂにマグネットスクリーン装置１を取り付けた場合、図２（ｃ）に示すように、凹曲黒板Ｂと巻取ロールとの隙間（ギャップ）は中央部で比較的広くなり、この中央部の引張りが強くなる。この中央部の張りを連結部材５の伸縮で吸収すれば皺等を効率よく吸収できる。したがって、連結部材５についても中央部に近いほど伸縮性が高いものが好ましい。
【００２６】
連結部材５の素材は特に限定されないが、シートそのものに伸縮性を有するものや紐状体を編み込んだもの、編み物自体からなるものであってもよい。また、連結部材５の前面側にもスクリーン面を有するものであってもよく、この構成によれば、凹曲しない黒板等では、スクリーン面を出来る限り広く利用することができるものとなる。さらに、縦方向に延びる帯体を左右横方向に複数間隔をおいて設けたものや、左右横方向に間隔をおいて複数の縦長スリットを設けたものでもよい。スリットを斜め方向や横方向に設けたものや、複数の帯体を水平方向に配置したものであってもよい。
【００２７】
また、このように連結部材５を設ける場合、巻取ロール４をスクリーンシート及び前記連結部材の全てを繰り出した第一繰出位置と、前記連結部材のみを巻き取った第二繰出位置とで解除可能に固定するロック手段を設けることが好ましい。このようなロック手段を設ければ、フラットな黒板への取付等、連結部材を繰り出さなくてもよい場合に、スクリーンシートのみを繰り出して黒板に貼り付けることが可能となる。尚、本発明では連結部材５は省略してもよい。すなわち回転付加手段７によってスクリーンシートを更に繰り出して皺等を吸収することができる。
【００２８】
回転付加手段７は、図３に示すように、巻取ロール４上のスクリーンシート２と異なる位置に周設されたガイド部７１内に巻回された紐体７０よりなり、スクリーンシート２の繰り出しとともに同様に下方に繰り出され、スクリーンシート２を取り付け面９０に磁着させた状態で紐体７０を下方に引き下げることにより、巻回されている紐体７０の残部が繰り出されるとともに巻取ロール４が所定量回転するように構成されている。巻取ロール４を回転させる所定量については、スクリーンシート２や連結部材５の巻き付け長さと紐の巻き付け長さを予め設定することで決定することができる。例えば１／４〜１／２回転ほどの範囲内で設定される。
【００２９】
回転付加手段７はこのような構成に何ら限定されず、巻取ロール４を回転させることができるハンドル操作部を設けたものやその他の手動回転機構を設けることで実現できる。また、電動タイプの場合には、別途回転を付加するための操作部を設けて、該操作部を操作することで所定量だけ巻取ロール４を回転させる制御を行なうことで実現できる。
【００３０】
本体部１０は、筐体３の内部に巻取ロール４を回転可能に支持した構造であり、筐体３の下面側にスクリーンシート２を繰り出すスリット及び回転付加手段７としての紐体７０を通す穴が設けられている。スリットは端部バー６より小さい寸法の左右幅、前後幅に形成されており、スクリーンシート巻取時に端部バー６がスリットを通過せず筺体３下面に当接することで巻取り完了する。本例では筺体３の左右両端に取付部３ａが設けられており、この取付部３ａを凹曲黒板Ｂの上桟枠Ｂａに螺子で固定することで、マグネットスクリーン装置１が凹曲黒板Ｂに取り付けられる。
【００３１】
巻取ロール４は、スクリーンシート２を巻き取る方向に回転付勢する図示しないバネ部材が取付けられている。バネ部材の付勢力はスクリーンシート２を操作することで解除可能なものとしている。スクリーンシート２の回転については、このような構成に限らず、公知の機構を適用でき、例えばモータで回転駆動させる電動タイプであってもよい。巻取ロール４には、連結部材５、スクリーンシート２及び紐体７０が巻き取られる。巻取り方向は内巻き／外巻きのいずれでもよい。
【００３２】
次に、マグネットスクリーン装置１の取り付け手順に沿って説明する。
【００３３】
まず、マグネットスクリーン装置１の左右の取付部３ａ、３ａを凹曲黒板Ｂの上桟枠Ｂａに取付ネジで固定する。次に、筺体３の下側に位置する端部バー６を引き下げて、黒板表面から離した状態のままスクリーンシート２を引き出す。そして、端部バー６を凹曲黒板Ｂの表面（取り付け面９０）に沿って密着させると当該下端部から順にスクリーンシート２の後面全体が黒板Ｂの取り付け面９０に磁着される。この状態では、図４（ａ）に示すようにスクリーンシート２の特に黒板面とのギャップの大きい上方中央付近に歪みや皺、弛みが生じている。
【００３４】
次に、紐体７０を引っ張って巻取ロール４をさらに所定量回転させると、巻取ロール４に近いスクリーンシート基端側の特に中央部に作用している引っ張りが緩和され、図４（ｂ）に示すようにスクリーンシート２を取り付け面９０に磁着させた状態で生じる歪みや皺、弛みを無くし、或いはより巻取ロールに近い位置に移動させ、使用に影響がない状態を得ることができる。本例では、特にスクリーンシート基端側の比較的伸縮性の大きな連結部材５を繰り出すので、少しの量で上記スクリーンシート２上の皺等を無くす効果が生じる。このように本発明はスクリーンシートを取り付け面９０に磁着させた状態でさらに巻取ロール４を緩めることにより、皺等が巻取ロール４近傍に集まり、表示部として使用するスクリーンシート領域の皺等を無くすことができるのである。
【００３５】
以上の説明においては、スクリーンシートはシート全体に磁力を有するものである場合を示したが、スクリーンシートはこのようなものに限定されるものではなく、部分的に磁力を有するものとすることで、取り外し易いものとして構成してもよい。また、取付部については、黒板等の既設の設備に固定するものでなくてもよく、例えば、取付対象に左右方向にのびるレール部材を固定し、このレールにスライド可能に取付部を係合させてなるものとすると、マグネットスクリーン装置をレール部材の範囲内で移動させることができ、スクリーンシート取り付け位置をより自由に設定することができる。さらに、スクリーンシートの上端、又は連結部材の下端に、細長い保形用のバーを水平に設けて、スクリーンシートの上端部の歪みを防止するものとしてもよい。
【００３６】
以上、本発明の実施形態について説明したが、本発明はこうした実施例に何ら限定されるものではなく、本発明の要旨を逸脱しない範囲において種々なる形態で実施し得ることは勿論である。
【符号の説明】
【００３７】
１  マグネットスクリーン装置
２  スクリーンシート
２ａ  スクリーン面
３  筐体
３ａ  取付部
４  巻取ロール
５  連結部材
６  端部バー
７  回転付加手段
１０  本体部
７０  紐体
７１  ガイド部
９０  取り付け面
Ｂ  凹曲黒板
Ｂａ  上桟枠
【図１】
2014102272.tif 000003
【図２】
2014102272.tif 000004
【図３】
2014102272.tif 000005
【図４】
2014102272.tif 000006